(57)【要約】【課題】加熱コイルから発生する放射ノイズが外郭内に配された電源リード線を介して外部に漏洩するのを防止すること。【解決手段】鍋１の底面を加熱する底加熱コイル２と、ボディ１１内の前方側に設けられる底インバータ回路４１が形成された第一の基板３と、第一の基板３と底加熱コイル２を固定する保護枠１３と、保護枠１３を固定する上枠９と、一端がボディ１１の後方側で電源コード１９と接続され、他端が第一の基板３に接続される電源リード線８を備え、保護枠１３または上枠９は、電源リード線８を底加熱コイル２より高い位置に保持するリブ１０を有することにより、底加熱コイル２の下に電源リード線８がある場合に比べ、電源リード線８は、高さ方向に底加熱コイル２からより長い距離をとって配線されることができ、底加熱コイル２の放射ノイズを受け電源リード線８に誘起される高周波ノイズをより大きく低減することができる。【選択図】図１
2015039516.tif 000002
【特許請求の範囲】
【請求項１】
外郭と、前記外郭の内部に収納され米と水を入れる鍋と、前記鍋の底面を加熱する底加熱コイルと、前記外郭の内部において前方側に設けられ前記底加熱コイルに高周波電流を供給する底インバータ回路が形成された第一の基板と、前記底加熱コイルを固定する保護枠と、前記第一の基板と前記保護枠を固定する上枠と、前記底インバータ回路に交流電源を供給するための電源コードと、一端が前記外郭の後方側で前記電源コードと接続され、他端が前記第一の基板に接続される電源リード線を備え、前記保護枠または前記上枠は、前記電源リード線を前記底加熱コイルより高い位置に保持する保持部を有する誘導加熱式炊飯器。
【請求項２】
前記底加熱コイルの内周側から引き出されるリード線である内周側底加熱コイルリード線は、前記底加熱コイルの外周側から引き出されるリード線である外周側底加熱コイルリード線の電位よりも高くなるように接続され、上方から見て、前記第一の基板と前記内周側底加熱コイルリード線との接続部である内周側底加熱コイル接続部と、前記第一の基板と前記電源リード線との接続部である電源接続部との間に、前記底加熱コイルの中心を通る前後方向の中心線が位置し、かつ前記保持部は、前記中心線に対して前記電源接続部と同じ側に設けられる請求項１に記載の誘導加熱式加熱調理器。
【請求項３】
前記内周側底加熱コイル接続部は、前記中心線よりも第一の基板の端部に近い位置に設けられる請求項２に記載の誘導加熱式加熱調理器。
【請求項４】
前記底加熱コイルの外側に略放射状に配置され、前記保護枠に固定された複数の磁性体を備え、前記保護枠または前記上枠は、前記複数の磁性体より高い位置に前記電源リード線を配線し固定するための保持部を有する請求項１から３のいずれか１項に記載の誘導加熱式炊飯器。
【請求項５】
前記底加熱コイルの外周に沿って設けられループ状に形成された金属枠を備え、前記保持部は、電源リード線を前記ループ状の金属枠より高い位置に配線できるように配置される請求項１から４のいずれか１項に記載の誘導加熱式炊飯器。
【請求項６】
前記保持部は、前記上枠の天面側に設けられた請求項１から５のいずれか１項に記載の誘導加熱式炊飯器。
【請求項７】
前記鍋の上面を覆う蓋と、前記蓋の前記鍋側に配置された蓋加熱板と、前記蓋加熱板を誘導加熱する蓋加熱コイルと、前記第一の基板に形成され前記蓋加熱コイルに高周波電力を供給する蓋インバータ回路と、前記蓋加熱コイルと前記蓋インバータ回路を接続する蓋加熱コイルリード線と、を備え、前記蓋加熱コイルリード線と前記電源リード線とが前記底加熱コイルを間に配し反対側に位置するように配線され、前記蓋加熱コイルリード線は、前記保護枠または前記上枠に設けられた第二の保持部に固定される請求項１から６のいずれか１項に記載の誘導加熱式炊飯器。
【請求項８】
前記保持部は、前記電源リード線を、前記蓋加熱コイルと前記底加熱コイルの略中間の高さに配線できるように設けられた請求項７に記載の誘導加熱式炊飯器。
【請求項９】
前記外郭の内部後方側に配置され電源コードを巻き取る電源コード収納部を備えた請求項１から８のいずれか１項に記載の誘導加熱式炊飯器。
【発明の詳細な説明】
【技術分野】
【０００１】
本発明は、鍋を誘導加熱により加熱する誘導加熱式炊飯器に関するものである。
【背景技術】
【０００２】
従来、この種の炊飯器は、雑音端子電圧を抑えるために、電源リード線を加熱コイルから離す構成に工夫をしている（例えば、特許文献１参照）。
【０００３】
図５は、特許文献１に記載された従来の誘導加熱式炊飯器の外郭を除去した状態で底面側から見た底面図を示すものである。図５に示すように、電源コード６４を巻き取る電源コード収納部６５が、外郭（図示せず）内の後方に設けられ、電源コード収納部６５の近傍で電源コード６４に接続された電源リード線６２が、加熱コイル６１及びフェライト６３の下方で、加熱コイル６１から一定距離だけ離間するように保持されて、外郭の前方に配設された基板６６まで引き回されている。また、加熱コイルリード線６２ａ、６２ｂは、加熱コイル６１から前方に引き出され基板６６に接続される。この従来の構成は、誘導加熱コイル６１から生じる交番磁界の磁束密度が、誘導加熱コイル６１からの距離が大きくなるにしたがい小さくなることに着目し、誘導加熱コイル６１と電源リード線との距離を大きくすることにより、誘導加熱コイル６１から生じる高周波の交番磁界により電源リード線６２に誘起される電圧、すなわち雑音端子電圧を低減しようとするものである。
【０００４】
また、電源リード線の途中が加熱コイルの下方で、加熱コイルと器体の外壁との間に位置し、加熱コイルと器体の外壁との間が最も狭いところでは加熱コイルと外壁とのほぼ中間位置に位置するように、保持具で保持した誘導加熱式炊飯器もある（例えば、特許文献２参照）。
【先行技術文献】
【特許文献】
【０００５】
【特許文献１】特開２０００−０７９０５４号公報
【特許文献２】特開２００２−３４５６３８号公報
【発明の概要】
【発明が解決しようとする課題】
【０００６】
しかしながら、前記従来の構成では、ノイズ対策を実施するために加熱コイルと電源リード線との距離を大きくする必要があるが、当該距離を大きくするためには、誘導加熱式炊飯器外郭の大きさが大きくなるという課題があった。
【０００７】
例えば、特許文献１では、電源リード線６２が加熱コイル６１の下部を通り、周波数帯については不明だが、電源リード線６２を加熱コイル６１から７ｍｍはなすことで雑音端子電圧が約３ｄＢ低減することが記載されている。換言すれば、雑音端子電圧を約３ｄＢ低減するためには、誘導加熱式炊飯器の高さが７ｍｍ近く高くなる。
【０００８】
また、特許文献２でも同様に、加熱コイルの下方に電源リード線を配置し、器体外郭と加熱コイルの中間位置に電源リード線を配線するようしている。このため器体外郭を加熱コイルに近づける限界があり、機体の高さが高くなってしまう。
【０００９】
本発明は、このような課題を解決するもので、製品の高さが高くなるのを抑制しつつ、加熱コイルが発生する高周波電磁界により電源リード線に誘起される高周波電圧を抑制することで、器体外に漏洩する雑音端子電圧や雑音電力を低減できる誘導加熱式炊飯器を提供することを目的とする。
【課題を解決するための手段】
【００１０】
前記従来の課題を解決するために、本発明の誘導加熱式炊飯器は、底加熱コイルを固定する保護枠または第一の基板と保護枠を固定する上枠は、電源リード線を底加熱コイルより高い位置に保持する保持部を有する構成としたものである。
【００１１】
これによって、電源リード線は、高さ方向に底加熱コイルからより長い距離をとって配線されることができるので、外郭の大きさをコンパクトにしつつ、底加熱コイルの放射ノイズを受けて電源リード線に誘起される高周波ノイズをより大きく低減することができる誘導加熱式炊飯器となる。
【発明の効果】
【００１２】
本発明の誘導加熱式炊飯器は、外郭内の高さ方向のスペースを利用することによって、簡単な構成で外部に漏洩する雑音端子電圧や雑音電力を低減することができる。
【図面の簡単な説明】
【００１３】
【図１】本発明の実施の形態１における誘導加熱式炊飯器の主要部側断面図に配線経路を付加した図
【図２】同誘導加熱式炊飯器のボディ（外郭）を除去した状態で底面側から見た底面図
【図３】同誘導加熱式炊飯器のリブ（保持部）の断面図
【図４】同誘導加熱式炊飯器の主要部回路ブロック図
【図５】従来の誘導加熱式炊飯器のボディを除去して底面側から見た主要部構成図
【発明を実施するための形態】
【００１４】
第１の発明は、外郭と、前記外郭の内部に収納され米と水を入れる鍋と、前記鍋の底面を加熱する底加熱コイルと、前記外郭の内部において前方側に設けられ前記底加熱コイルに高周波電流を供給する底インバータ回路が形成された第一の基板と、前記底加熱コイルを固定する保護枠と、前記第一の基板と前記保護枠を固定する上枠と、前記底インバータ回路に交流電源を供給するための電源コードと、一端が前記外郭の後方側で前記電源コードと接続され、他端が前記第一の基板に接続される電源リード線を備え、前記保護枠または前記上枠は、前記電源リード線を前記底加熱コイルより高い位置に保持する保持部を有することにより、電源リード線は、高さ方向に底加熱コイルからより長い距離をとって配線されることができる。したがって、底加熱コイルの放射ノイズを受け電源リード線に誘起される高周波ノイズを、従来の構成に比べ、同様の外形であればより大きく低減することができ、従来の構成と同様の低減効果を得るのであればよりコンパクトな外形とすることができる誘導加熱式炊飯器を提供することができる。
【００１５】
第２の発明は、特に、第１の発明の底加熱コイルの内周側から引き出されるリード線である内周側底加熱コイルリード線は、前記底加熱コイルの外周側から引き出されるリード線である外周側底加熱コイルリード線の電位よりも高くなるように接続され、上方から見て、前記第一の基板と前記内周側底加熱コイルリード線との接続部である内周側底加熱コイル接続部と、前記第一の基板と前記電源リード線との接続部である電源接続部との間に、前記底加熱コイルの中心を通る前後方向の中心線が位置し、かつ前記保持部は、前記中心線に対して前記電源接続部と同じ側に設けられることにより、電源リード線は、高周波磁界の放射量が多い高電位となる底加熱コイルの内周部及び内周側の加熱コイルリード線からの距離を、水平距離と垂直距離をともに大きくすることができ、高周波スイッチングノイズの影響をより受けにくくなり、雑音端子電圧や雑音電力の低い誘導加熱式炊飯器を提供することができる。
【００１６】
第３の発明は、特に、第２の発明の内周側底加熱コイル接続部は、前記中心線よりも第一の基板の端部に近い位置に設けられることにより、電源リード線と内周側底加熱コイルリード線との距離をさらに大きくすることができ、その分、電源リード線が高周波スイッチングノイズの影響を受けにくくなる。
【００１７】
第４の発明は、特に、前記底加熱コイルの外側に略放射状に配置され、前記保護枠に固定された複数の磁性体を備え、第１から３のいずれかの発明の保護枠または前記上枠は、前記複数の磁性体より高い位置に前記電源リード線を配線し固定するための保持部を有することにより、底加熱コイルから発生する磁束の集中部である磁性体から電源リード線を離すことができ、さらに雑音端子電圧や雑音電力の低い誘導加熱式炊飯器を提供することができる。
【００１８】
第５の発明は、特に、第１から４のいずれかの発明において、前記底加熱コイルの外周に沿って設けられループ状に形成された金属枠を備え、前記保持部は、電源リード線を前記ループ状の金属枠より高い位置に配線できるように配置されることにより、底加熱コイルの高周波電流から発生する磁界を打ち消すように金属枠に高周波電流が流れるので、電源リード線を金属枠より高い位置に配線しておけば、高周波磁界が打ち消された空間を電源リード線が通るので、さらに、雑音端子電圧や雑音電力の低い誘導加熱式炊飯器を提供することができる。
【００１９】
第６の発明は、特に、第１から５のいずれかの発明の保持部を、上枠の天面側に設けたことにより、保持部を、上枠の側面側や下面側に設けた場合に比べ、底加熱コイルより遠ざけることができるので、さらに雑音端子電圧や雑音電力の発生レベルを抑えることができる。
【００２０】
第７の発明は、特に、第１から６のいずれかの発明において、前記鍋の上面を覆う蓋と、前記蓋の前記鍋側に配置された蓋加熱板と、前記蓋加熱板を誘導加熱する蓋加熱コイルと、前記第一の基板に形成され前記蓋加熱コイルに高周波電力を供給する蓋インバータ回路と、前記蓋加熱コイルと前記蓋インバータ回路を接続する蓋加熱コイルリード線と、を備え、前記蓋加熱コイルリード線と前記電源リード線とが前記底加熱コイルを間に配し反対側に位置するように配線され、前記蓋加熱コイルリード線は、前記保護枠または前記上枠に設けられた第二の保持部に固定されることにより、さらに、蓋加熱コイル動作時の雑音端子電圧と雑音電力を抑えることができる。
【００２１】
第８の発明は、特に、第７の発明の保持部は、前記電源リード線を、前記蓋加熱コイルと前記底加熱コイルの略中間の高さに配線できるように設けられることにより、電源リード線と底加熱コイルの距離と、電源リード線と蓋加熱コイルの距離を略等しくすることができ、底加熱コイルの動作時及び蓋加熱コイル動作時の雑音端子電圧および雑音電力を同時に抑え易くなる。
【００２２】
第９の発明は、特に、第１から８のいずれかの発明において、前記外郭の内部後方側に配置され電源コードを巻き取る電源コード収納部を備えたことにより、上記各発明が有する雑音端子電圧と雑音電力の抑制効果を有効に利用することができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における誘導加熱式炊飯器を模擬的に示す側断面図に配線経路を付加した図、図２は、同誘導加熱式炊飯器のボディ（外郭）を除去して底面側から見た底面図をそれぞれ示すものである。なお、図１及び図２において、図面を簡潔にするために、例えば、電気的接続のための一部のリード線や、部品を固定するための一部のネジは省略している。
【００２５】
図１において、誘導加熱式炊飯器の外郭（以下、ボディ１１とも呼ぶ）には、その上面を覆う蓋１２が開閉自在に設置されている。ボディ１１の内側に設けられる鍋１の収納部は、樹脂を使用した上枠９と難燃性樹脂を使用した保護枠１３で構成されている。
【００２６】
鍋１は、上端開口部に外側にせり出したフランジを有し、当該フランジを上枠９の上端から樹脂で構成されたスペーサを介して浮き上がった状態で載置することにより、上枠９と保護枠１３からなる収納部に着脱自在に収納される。鍋１は、アルミなどの金属の積層体で形成される。
【００２７】
底加熱コイル２は２つの部分に、巻線のない部分で分割され、鍋１の底部と底外周部をそれぞれ誘導加熱する。底加熱コイル２は、絶縁被覆された複数の銅線を束ねたリッツ線を更に、例えば、２０数本用いて撚った撚り線で構成されており、高周波電流が流れた時の電流分布を均一にしている。特に図示していないが、底加熱コイル２は渦巻き状に巻かれた形状になっている。
【００２８】
保護枠１３はその底部に底加熱コイル２と磁性体であるフェライト１４を配設している。底加熱コイル２は図２に示すように断面からみると鍋１の形にあわせたお椀状の形状をしている。フェライト１４は底加熱コイル２の外側に配置され、底加熱コイル２で発生する磁束の漏れを抑え、鍋１に底加熱コイル２の高周波磁界が効率よく伝搬されるようにしている。保護枠１３に底加熱コイル２やフェライト１４を配設する方法としては、フェライトを固定する樹脂カバーを設け、この樹脂カバーと保護枠１３の間に底加熱コイル２を配置しネジで底加熱コイル２を覆うように固定する方法や、底加熱コイル２とフェライト１４を接着剤で固定する方法や、保護枠１３で使用している樹脂に底加熱コイル２とフェライト１４を埋め込んでしまう方法などがあるが、本発明では特に限定するものではない。
【００２９】
底加熱コイル２とフェライト１４の外周に金属製のループ状の金属枠２０が設けられている。この金属枠２０は、底加熱コイル２から発生し外部に漏洩する磁界を低減する作用を有し、自身に誘起される電流で発熱するため導電率の高い材料で構成され、一般的にアルミで作られることが多い。
【００３０】
第一の基板３は、図４に示す底インバータ回路４１の底加熱コイル２を除く部品および整流平滑回路４５の構成部品が実装されている。第一の基板３は、例えば、片面に配線パターンが印刷される紙フェノール基板、または両面に配線パターンが印刷されるガラスエポキシ基板を使用することができる。第一の基板３は樹脂で構成された基板カバー５にネジで固定されている。ファン６は、主に、第一の基板３に実装された底インバータ回路４１の部品や整流平滑回路４５などの発熱部品を冷却する。
【００３１】
電源コード収納部７はストッパーとばねを用いて電源コード１９を巻き取ることを可能にしている。電源コード収納部７は、ボディ１１内の後方に設けられ、第一の基板３はボディ１１内の前方に設けられる。すなわち、電源コード収納部７は、第一の基板３とは、上から見て、底加熱コイル２を両者の間に配して反対側に位置するように配置されている。
【００３２】
電源リード線８は電源コード収納部７で巻き取られる電源コード１９と第一の基板３を電気的に接続するものであり、電源コード１９から供給される交流電源４４の交流電力を整流平滑回路４５に供給するためのもので、上枠９に設けられたリブ１０に引っ掛けられて保持されることでその位置を固定されている。第一の基板３上では、図２に示すように、電源リード線８と第一の基板３の接続部である電源接続部３ａ（２個）と、内周側底加熱コイルリード線４ａと第一の基板３の接続部である内周側底加熱コイル接続部３ｂａ、および外周側底加熱コイルリード線４ｂと第一の基板３の接続部である外周側底加熱コイル接続部３ｂｂが設けられている。
【００３３】
上枠９には、保持しているリード線が外れにくいようなつりばり状に形成されたリブ１０と複数のネジ穴が設けられており、基板カバー５と保護枠１３がネジによって上枠９に固定される構成になっている。このリブ１０で電源リード線８を底加熱コイル２より高い位置に保持して引き回す。また、フェライト１４と鍋１の距離よりも電源リード線８とフェライト１４の距離が長くなるように、リブ１０を上枠９に配置するとよい。さらに、リブ１０は、電源リード線８を金属枠２０より高い位置に配線できるように上枠９に配置するとよい。なお、リブ１０を、上枠９の最も天面側に設けることにより、底加熱コイル２からさらに離れた位置に電源リード線８が配線されるようにすることができる。
【００３４】
上方から見て、内周側底加熱コイル接続部３ｂａと電源接続部３ａとの間に、底加熱コイル２の中心を通る前後方向の中心線Ａが位置し、かつリブ１０は、中心線Ａに対して電源接続部３ａと同じ側に設けられる。
【００３５】
蓋１２には着脱自在な蓋加熱板１５が取り付けられている。蓋加熱板１５はステンレスなどの金属で形成されている。蓋加熱コイル１６は、蓋１２に内蔵され、蓋加熱板１５を誘導加熱する。第一の基板３には蓋加熱コイル１６に高周波電力を供給する蓋インバータ回路が設けられている。蓋インバータ回路５２の回路構成は前述した底インバータ回路と同構成であり、ここでの説明は省略する。蓋加熱コイル１６と第一の基板を接続する蓋加熱コイルリード線は、特に図示していないが、保護枠１３または上枠９に設けられた第二の保持部である第二のリブ５３（図１参照）に固定され、図１に示す内周側底加熱コイルリード線４ａ、外周側底加熱コイルリード線４ｂと同様に、上方から見て、底加熱コイル２の前後方向の中心線Ａ（図１において紙面上にある）を間に配し電源リード線８と反対側に位置するように配線されている。電源リード線８を保持するリブ１０が中心線Ａよりも図１で手前側（図２で左側）に設けられているのに対し、蓋加熱コイルリード線を保持する破線で示す第二のリブ５３は、中心線Ａよりも図１で後方側（図２で右側）に設けられている。
【００３６】
操作基板１７は、特に図示していないが、スイッチ、ＬＣＤ、マイクロコンピュータなどが実装され、使用者がスイッチを押すと、マイコンが押したスイッチを判別し、押したスイッチに応じた状態をＬＣＤに表示している。
【００３７】
温度検知回路１８は、サーミスタで構成され、鍋１の底部の略中心に配置されている。サーミスタは温度で抵抗値が変わるので、このサーミスタと所定の抵抗値を有する抵抗で分圧回路を構成し、所定の電圧をこの分圧回路の両端に供給することで、サーミスタの抵抗値をアナログ電圧に変換できる。温度検知回路１８の信号はマイクロコンピュータに入力され、マイクロコンピュータで温度を判別する。
【００３８】
図４に示すように、底インバータ回路４１は、一石電圧共振回路と一般的に言われるインバータ回路で構成されている。底インバータ回路４１は、交流電源４４から整流平滑回路４５を介して直流電源が供給されている。底インバータ回路４１は、底加熱コイル２、共振コンデンサ４２およびスイッチング素子４３を備え、整流平滑回路４５の出力端間に、底加熱コイル２と共振コンデンサ４２からなる並列回路に直列接続したスイッチング素子４３で構成された直列接続体が接続されている。共振コンデンサ４２は、本実施の形態では高周波電流が流れても損失の少ないポリプロピレンコンデンサが使用されている。スイッチング素子４３は、ＭＯＳＦＥＴやＩＧＢＴなどの半導体素子と、この半導体素子に逆接続した逆接続ダイオードで構成されている。ＭＯＳＦＥＴやＩＧＢＴは耐圧が高く、高周波のスイッチングが可能で、ゲート端子に電圧を印加することで大電流を流すことができるので、パワートランジスタに比べ省電力で大電流を流すことができるという利点がある。なお、本実施の形態では、この半導体素子としてＩＧＢＴを使用している。
【００３９】
交流電源４４の電源周波数は，東日本地域では５０Ｈｚ，西日本地域では６０Ｈｚとなっている。整流平滑回路４５は、ダイオードブリッジ４６、チョークコイル４７および平滑コンデンサ４８を備えている。ここで、平滑コンデンサ４８の容量は数μＦと比較的小さく、底加熱コイル２に電流を流すと交流電源４４の周波数に対応するリプルが生じる。本実施の形態では、このリプル電圧波形は交流電源４４を全波整流した時の電圧波形と略同じ脈流電圧波形となる。整流平滑回路４５を構成する部品は第一の基板３に実装されている。
【００４０】
制御部４９は、マイクロコンピュータ５０および駆動回路５１を備えている。マイクロコンピュータ５０はＰＷＭ信号を駆動回路５１に出力しスイッチング素子４３をオンオフさせる。
【００４１】
駆動回路５１は、特に図示しないがＮＰＮトランジスタとＰＮＰトランジスタで構成されたプッシュプル回路で構成され、駆動回路５１の出力がハイの間、スイッチング素子４３を構成するＩＧＢＴのゲート端子に電圧を印加し、ＩＧＢＴをオンし、駆動回路５１がロー出力しているときはＩＧＢＴのゲート端子の電圧を０Ｖにして、ＩＧＢＴをオフにする。駆動回路５１は第一の基板３に実装されている。なお、これは一例でプッシュプル回路を構成する部品はＭＯＳＦＥＴなどで構成しても構わない。
【００４２】
以上のように構成された誘導加熱式炊飯器について、以下その作用効果を説明する。
【００４３】
底加熱コイル２の内周部から引き出される内周側底加熱コイルリード線４ａは、スイッチング素子４３の高電位側端子であるコレクタに接続され、底加熱コイル２の外周部から引き出される外周側底加熱コイルリード線４ｂは整流平滑回路４５の正極側出力端に接続されている。つまりスイッチング素子４３に接続した内周側底加熱コイルリード線４ａは、スイッチング素子４３のスイッチング動作により、その動作周波数で電圧変動する。特に、スイッチング素子４３オフ時に、底加熱コイル２と共振コンデンサ４２からなる共振回路の共振動作により数百ボルトの共振電圧が発生する。整流平滑回路４５側の外周側底加熱コイルリード線４ｂはリプル電圧の変動周波数が動作周波数と同じになるが、スイッチング素子４３側の内周側底加熱コイルリード線４ａほどの急峻な電圧変動はしない。交流電源の電圧が１００Ｖであれば、ピークでも１４１Ｖ程度である。
【００４４】
上記のように、上枠９に電源リード線８の固定用のリブ１０を設け、そこに電源リード線８を配線させることで、高さ方向に底加熱コイル２から電源リード線８を離すことが可能となり、誘導加熱式炊飯器のボディ１１の形状、特に外周を大きくすることなく、底加熱コイル２から発生する高周波磁界の影響を抑えることができる。これによりボディ１１と底加熱コイル２の間の空間に電源リード線８を通さなくてもよくなり、当該空間に電源リード線８がない分、コンパクトな誘導加熱式炊飯器を実現することができる。また、底加熱コイル２で最も高電圧が発生する底加熱コイル２の内周部からの離間距離も長くすることができ、高電圧すなわち電界の影響も抑えることができる。つまり、底加熱コイル２から発生する高周波磁界と電界の影響を従来に比べ受けにくい位置に配線することができる。
【００４５】
また、フェライト１４は底加熱コイル２で発生する磁束の漏れを抑え、鍋１に底加熱コイル２の高周波磁界が効率よく伝搬されるようにしていると述べたが、このことはフェライト１４の端部に磁束が集中していることを意味する。つまり局所的に磁界の高い部分がフェライト１４の端部と鍋１の間に発生しているということで、フェライト１４の端部から電源リード線８を離すことも重要である。上記のように、フェライト１４と鍋１の距離よりも電源リード線８とフェライト１４の距離が長くなるように、電源リード線８を上枠９のリブ１０に配線することにより、フェライト１４に集中する磁束の影響を低減することができる。
【００４６】
金属枠２０は、上記のように、アルミで作られているが、これは、底加熱コイル２とフェライト１４から発生する高周波磁界のうち鍋１を通過することができなかった漏れ磁界を打ち消すように高周波電流を流すためのものなので抵抗値が低いほうがよいからである。しかし、金属枠２０により、漏れ磁界を打ち消すことはできるが、この金属枠２０にも高周波電流は流れ、この高周波電流による磁界が電源リード線に高周波電流を誘起する場合もある。また金属のため１０ＭＨｚ以上の高周波ノイズがこの金属枠２０を通じて伝搬し、雑音端子電圧や雑音電力レベルを増大させるおそれがある。そのため、この金属枠２０からも電源リード線を遠ざける構成にするのが望ましい。上記のように、リブ１０は電源リード線８を金属枠２０より高い位置に配線できるように配置されていることにより、金属枠２０からも電源リード線８を離間させることができるとともに、高周波磁界が打ち消された空間を電源リード線８が通るので、さらに、雑音端子電圧や雑音電力を低減することができる。
【００４７】
また、上方から見て、底加熱コイル２の中心を通る前後方向の中心線Ａから互いに反対側に離れて位置するように内周側底加熱コイルリード線４ａ、外周側底加熱コイルリード線４ｂと電源リード線８は第一の基板３に接続されている。このように接続することで、電源リード線８と、内周側底加熱コイルリード線４ａ、外周側底加熱コイルリード線４ｂとの距離を大きくし、内周側底加熱コイルリード線４ａ、外周側底加熱コイルリード線４ｂに流れる高周波電流や、内周側底加熱コイルリード線４ａに発生する共振電圧の影響を受けにくくしている。
【００４８】
また、リブ１０を、電源リード線８が外れにくいようにつりばり状の構成にすることで、振動や落下により電源リード線８が外れて、底加熱コイル２やフェライト１４からの磁界の影響を受けるのを防止することもできる。
【００４９】
なお、上記実施の形態において、リブ１０を上枠９に形成したが、保護枠１３に形成してもよく、同様の作用効果を得ることができる。
【００５０】
以上のように本実施の形態においては、ボディ１１と、ボディ１１の内部に収納され米と水を入れる鍋１と、鍋１の底面を加熱する底加熱コイル２と、ボディ１１の内部において前方側に設けられ底加熱コイル２に高周波電流を供給する底インバータ回路４１が形成された第一の基板３と、底加熱コイル２を固定する保護枠１３と、第一の基板３と保護枠１３を固定する上枠９と、底インバータ回路４１に交流電源４４を供給するための電源コード１９と、一端がボディ１１の後方側で電源コード１９と接続され、他端が第一の基板３に接続される電源リード線８を備え、保護枠１３または上枠９は、電源リード線８を底加熱コイル２より高い位置に保持するリブ１０を有することにより、底加熱コイル２の下に電源リード線８がある場合に比べ、電源リード線８は、高さ方向に底加熱コイル２からより長い距離をとって配線されることができる。したがって、底加熱コイル２の放射ノイズを受け電源リード線８に誘起される高周波ノイズをより大きく低減することができ、従来の構成と同様の低減効果を得るのであればよりコンパクトな外形とすることができる。
【００５１】
また、底加熱コイル２の内周側から引き出されるリード線である内周側底加熱コイルリード線４ａは、底加熱コイル２の外周側から引き出されるリード線である外周側底加熱コイルリード線４ｂの電位よりも高くなるように接続され、上方から見て、第一の基板３と内周側底加熱コイルリード線４ａとの接続部である内周側底加熱コイル接続部３ｂａと、第一の基板３と電源リード線８との接続部である電源接続部３ａとの間に、底加熱コイル２の中心を通る前後方向の中心線Ａが位置し、かつリブ１０は、中心線Ａに対して電源接続部３ａと同じ側に設けられることにより、電源リード線８は、スイッチング素子４３のコレクタと略同電位で高電位となり高周波磁界の放射量が大きい底加熱コイル２の内周部及び内周側底加熱コイルリード線４ａからの距離を、底加熱コイル２の下に電源リード線８がある場合に比べ、水平距離と垂直距離をともに大きくすることができ、高周波スイッチングノイズの影響を受けにくくなり、雑音端子電圧や雑音電力の低い誘導加熱式炊飯器を提供することができる。
【００５２】
また、内周側底加熱コイル接続部３ｂａは、中心線Ａよりも第一の基板の端部３ｃに近い位置に設けられることにより、電源リード線８と内周側底加熱コイルリード線４ａとの距離をさらに大きくすることができ、その分、電源リード線８が高周波スイッチングノイズの影響を受けにくくなる。
【００５３】
また、底加熱コイル２の外側に略放射状に配置され、保護枠１３に固定された複数のフェライト１４をさらに備え、保護枠１３または上枠９は、複数のフェライト１４より高い位置に電源リード線８を配線し固定するためのリブ１０を有することにより、底加熱コイル２から発生する磁束の集中部であるフェライト１４から電源リード線８を離すことができ、さらに雑音端子電圧や雑音電力の低い誘導加熱式炊飯器を提供することができる。
【００５４】
また、底加熱コイル２の外周に沿って設けられたループ状の金属枠２０を備え、リブ１０は電源リード線８を金属枠２０より高い位置に配線できるように配置されることにより、底加熱コイルの高周波電流から発生する磁界を打ち消すように金属枠２０に高周波電流が流れるので、電源リード線８を金属枠２０より高い位置に配線しておけば、高周波磁界が打ち消された空間を電源リード線８が通るので、さらに、雑音端子電圧や雑音電力の低い誘導加熱式炊飯器を提供することができる。
【００５５】
また、リブ１０を、上枠９の天面側に設けたことにより、リブ１０を、上枠９の側面側や下面側に設けた場合に比べ、底加熱コイル２より遠ざけることができるので、さらに雑音端子電圧や雑音電力の発生レベルを抑えることができる。
【００５６】
また、鍋１の上面を覆う蓋１２と、蓋１２の鍋側に配置された蓋加熱板１５と、蓋加熱板１５を誘導加熱する蓋加熱コイル１６と、第一の基板３に形成され蓋加熱コイル１６に高周波電力を供給する蓋インバータ回路５２と、蓋加熱コイル１６と蓋インバータ回路５２を接続する蓋加熱コイルリード線（図示せず）と、を備え、該蓋加熱コイルリード線と電源リード線８とが底加熱コイル２を間に配し反対側に位置するように配線され、該蓋加熱コイルリード線は、保護枠１３または上枠９に設けられた第二の保持部（以下、第二のリブ５３とも言う）に固定されることにより、さらに、蓋加熱コイル１６の動作時の雑音端子電圧と雑音電力を抑えることができる。
【００５７】
また、ボディ１１の内部後方側に配置され電源コード１９を巻き取る電源コード収納部７を備えたことにより、本実施の形態の上記雑音端子電圧と雑音電力の抑制効果を有効に利用することができる。
【産業上の利用可能性】
【００５８】
以上のように、本発明は、底加熱コイルから高さ方向に電源リード線を離すことで底加熱コイルから電源リード線への高周波磁界を低減し、雑音端子電圧や雑音電力を低減するものであるので、各種インバータを備えた一般家庭用や業務用の誘導加熱式炊飯器にも適用することができる。
【符号の説明】
【００５９】
１  鍋
２  底加熱コイル
３  第一の基板
３ａ  電源接続部
３ｂａ  内周側底加熱コイル接続部
３ｂｂ  外周側底加熱コイル接続部
３ｃ  第一の基板の端部
４ａ  内周側底加熱コイルリード線
４ｂ  外周側底加熱コイルリード線
７  電源コード収納部
８  電源リード線
９  上枠
１０  リブ
１１  ボディ
１２  蓋
１３  保護枠
１４  フェライト
１５  蓋加熱板
１６  蓋加熱コイル
１７  操作基板
１８  温度検知回路
２０  金属枠
４１  底インバータ回路
４２  共振コンデンサ
４３  スイッチング素子
４４  交流電源
４５  整流平滑回路
４６  ダイオードブリッジ
４７  チョークコイル
４８  平滑コンデンサ
４９  制御部
５２  蓋インバータ回路
５３  第二のリブ
【図１】
2015039516.tif 000003
【図２】
2015039516.tif 000004
【図３】
2015039516.tif 000005
【図４】
2015039516.tif 000006
【図５】
2015039516.tif 000007